(57)【要約】【課題】レンズ鏡筒を電子機器に位置精度よく着脱でき、かつレンズ鏡筒が取り付けられた電子機器を誤って落下させたような場合における電子機器の破損を抑制する。【解決手段】アタッチメント２０は、レンズ鏡筒２００と、タブレット型コンピュータ１００との接続を仲介する。アタッチメント２０は、光通過孔２１ａを備えた板状の本体部２１と、本体部２１に設けられ、レンズ鏡筒２００のネジ部２０２に着脱可能なネジ部２１ｂと、本体部２１に設けられ、タブレット型コンピュータ１００のレンズ取付枠１０に着脱可能な爪部２２、２３と、タブレット型コンピュータ１００のレンズ取付枠１０が有する突起１１ｂ、１１ｃに嵌合可能な貫通孔２２ａ、２３ａと、を備える。ネジ部２０２、ネジ部２１ｂ、レンズ取付枠１０、及び爪部２２、２３の４種類の取付部の中で爪部２２、２３が最も衝撃荷重に対して脆弱とされている。【選択図】図５
2020101746.tif 000002
【特許請求の範囲】
【請求項１】
光学部品を内包するレンズ鏡筒と前記レンズ鏡筒から出射される被写体光を撮像する電子機器との接続を仲介するアタッチメントであって、
前記被写体光を通過させる光通過孔を備えた板状の本体部と、
前記本体部に設けられ、前記レンズ鏡筒が有する鏡筒側取付部に着脱可能な第１取付部と、
前記本体部に設けられ、前記電子機器が有する機器側取付部に着脱可能な第２取付部と、
前記第２取付部に設けられ、前記電子機器の前記機器側取付部が有する位置決め部に嵌合可能な位置決め用嵌合部と、を備え、
前記鏡筒側取付部、前記第１取付部、前記機器側取付部及び前記第２取付部の４種類の取付部の中で前記第１取付部または前記第２取付部が最も衝撃荷重に対して脆弱とされている、
アタッチメント。
【請求項２】
前記第２取付部は前記機器側取付部に対してスライドされることで着脱される、
請求項１に記載のアタッチメント。
【請求項３】
前記第２取付部は、前記本体部の周縁部から突出し、前記機器側取付部に嵌合可能な爪形状を有し、
前記第２取付部が衝撃荷重に対して前記４種類の取付部の中で最も脆弱となるように、前記第２取付部の厚みが前記本体部の厚みよりも小さくされている、
請求項１または２に記載のアタッチメント。
【請求項４】
前記第２取付部は、前記本体部の周縁部から突出し、前記機器側取付部に嵌合可能な爪形状を有し、
前記第２取付部が衝撃荷重に対して前記４種類の取付部の中で最も脆弱となるように、前記第２取付部にスリットが設けられている、
請求項１または２に記載のアタッチメント。
【請求項５】
前記位置決め部は、凸形状と、凹形状または孔形状とのうちの一方の形状を有し、
前記位置決め用嵌合部は、凸形状と、凹形状または孔形状とのうちの他方の形状を有する、
請求項１から４のいずれか１項に記載のアタッチメント。
【請求項６】
請求項１から請求項５のいずれか１項に記載のアタッチメントと、
前記アタッチメントが取り付けられるレンズ鏡筒と、を含む、
レンズシステム。
【請求項７】
請求項１から請求項５のいずれか１項に記載のアタッチメントと、
前記アタッチメントが取り付けられる電子機器と、を含む、
電子機器システム。
【請求項８】
請求項１から請求項５のいずれか１項に記載のアタッチメントと、
前記アタッチメントを介して接続されるレンズ鏡筒及び電子機器と、を含む、
カメラシステム。
【請求項９】
光学部品を内包するレンズ鏡筒と、
前記レンズ鏡筒から出射される被写体光を撮像する電子機器と、
前記レンズ鏡筒と前記電子機器との接続を仲介するアタッチメントと、を含むカメラシステムであって、
前記アタッチメントは、
前記被写体光を通過させる光通過孔を備えた板状の本体部と、
前記本体部に設けられ、前記レンズ鏡筒が有する鏡筒側取付部に着脱可能な第１取付部と、
前記本体部に設けられ、前記電子機器が有する機器側取付部に着脱可能な第２取付部と、
前記第２取付部に設けられ、前記電子機器の前記機器側取付部が有する位置決め部に嵌合可能な位置決め用嵌合部と、を備え、
前記鏡筒側取付部、前記第１取付部、前記機器側取付部及び前記第２取付部の４種類の取付部の中で前記第１取付部または前記第２取付部が最も衝撃荷重に対して脆弱とされ、
前記第２取付部が、前記機器側取付部にスライド挿入可能に構成され、
前記位置決め部が、スライド挿入方向で離間するように２個設けられ、
前記位置決め用嵌合部が、スライド挿入方向で前記位置決め部の間隔と同間隔で離間するように２個設けられ、
前記スライド挿入方向で最初に位置決め用嵌合部と接触する位置決め部の高さが、後で位置決め用嵌合部と接触する位置決め部の高さよりも低い、
カメラシステム。
【発明の詳細な説明】
【技術分野】
【０００１】
本開示は、光学部品を内包するレンズ鏡筒とレンズ鏡筒から出射される被写体光を撮像する電子機器との接続を仲介するアタッチメント、レンズシステム、電子機器システム、及びカメラシステムに関する。
【背景技術】
【０００２】
特許文献１は、カメラ付き携帯電話機へ小型望遠鏡を固定する構造を開示している。
【先行技術文献】
【特許文献】
【０００３】
【特許文献１】特開２００８−１１３０９９号公報
【発明の概要】
【発明が解決しようとする課題】
【０００４】
本開示は、レンズ鏡筒を電子機器に位置精度よく着脱でき、かつレンズ鏡筒が取り付けられた電子機器を誤って落下させてしまったような場合における電子機器の破損を抑制できるアタッチメント、レンズシステム、電子機器システム、及びカメラシステムを提供する。
【課題を解決するための手段】
【０００５】
本開示において、光学部品を内包するレンズ鏡筒と、レンズ鏡筒から出射される被写体光を撮像する電子機器との接続を仲介するアタッチメントが提供される。
アタッチメントは、
被写体光を通過させる光通過孔を備えた板状の本体部と、
本体部に設けられ、レンズ鏡筒に設けられた鏡筒側取付部に着脱可能な第１取付部と、
本体部に設けられ、電子機器が有する機器側取付部に着脱可能な第２取付部と、
第２取付部に設けられ、電子機器の機器側取付部が有する位置決め部に嵌合可能な位置決め用嵌合部と、を備える。
鏡筒側取付部、第１取付部、機器側取付部、及び第２取付部の４種類の取付部の中で第１取付部または第２取付部が最も衝撃荷重に対して脆弱とされている。
【０００６】
本開示において、本開示のアタッチメントと、アタッチメントが取り付けられるレンズ鏡筒と、を含むレンズシステムが提供される。
【０００７】
本開示において、本開示のアタッチメントと、アタッチメントが取り付けられる電子機器と、を含む電子機器システムが提供される。
【０００８】
本開示において、本開示のアタッチメントを介して接続されるレンズ鏡筒及び電子機器を含むカメラシステムが提供される。
【０００９】
本開示において、光学部品を内包するレンズ鏡筒と、レンズ鏡筒から出射される被写体光を撮像する電子機器と、レンズ鏡筒と電子機器との接続を仲介するアタッチメントと、を含むカメラシステムが提供される。
アタッチメントは、
被写体光を通過させる光通過孔を備えた板状の本体部と、
本体部に設けられ、レンズ鏡筒が有する鏡筒側取付部に着脱可能な第１取付部と、
本体部に設けられ、電子機器が有する機器側取付部に着脱可能な第２取付部と、
第２取付部に設けられ、電子機器の機器側取付部が有する位置決め部に嵌合可能な位置決め用嵌合部と、を備える。
鏡筒側取付部、第１取付部、機器側取付部、及び第２取付部の４種類の取付部の中で第１取付部または第２取付部が最も衝撃荷重に対して脆弱とされている。
第２取付部が、機器側取付部にスライド挿入可能であり、
位置決め部が、スライド挿入方向で離間するように２個設けられ、
位置決め用嵌合部が、スライド挿入方向で位置決め部の間隔と同間隔で離間するように２個設けられ、
スライド挿入方向で最初に位置決め用嵌合部と接触する位置決め部の高さが、後で位置決め用嵌合部と接触する位置決め部の高さよりも低い。
【発明の効果】
【００１０】
本開示によると、レンズ鏡筒を電子機器に位置精度よく着脱でき、かつレンズ鏡筒が取り付けられた電子機器を誤って落下させてしまったような場合における電子機器の破損を抑制できる。
【図面の簡単な説明】
【００１１】
【図１】実施の形態１におけるタブレット型コンピュータの斜視図である。
【図２】レンズ鏡筒が取り付けられたタブレット型コンピュータの斜視図である。
【図３】レンズ鏡筒単体の斜視図である。
【図４】アタッチメントが取り付けられたレンズ鏡筒の斜視図である。
【図５】レンズ鏡筒のタブレット型コンピュータへの取付の説明図である。
【図６】アタッチメントの斜視図である。
【図７】レンズ取付枠の斜視図である。
【図８】アタッチメントの爪部とレンズ取付枠とが嵌合した状態を、タブレット型コンピュータの本体の図示を省略して示した斜視図である。
【図９】レンズ鏡筒のタブレット型コンピュータへの取付部分の横断面図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を十分に理解するために添付図面および以下の説明を提供するのであって、これらによって特許請求の範囲に記載の主題を限定することを意図するものではない。
【００１４】
（本開示の経緯）
背景技術で説明したように、特許文献１は、カメラ付き携帯電話機へ小型望遠鏡を固定する構造を開示している。特許文献１の固定構造では、ゴムベルトを用いてカメラ付き携帯電話機に小型望遠鏡を固定したり、カメラ付き携帯電話機に粘着テープで固定した受け具に小型望遠鏡を固定したりする。このような固定構造では、カメラ付き携帯電話機の小型望遠鏡への取付位置にばらつきが出やすく、カメラ付き携帯電話機の撮像素子に被写体像を適切に結像できない虞がある。
【００１５】
上記のようなカメラ付き携帯電話機や、スマートフォン、タブレット型コンピュータなどの撮像機能を有する電子機器に、小型望遠鏡などのレンズ鏡筒を、位置精度よく固定する方法として、例えばネジを利用して電子機器とレンズ鏡筒とを固定する構造が考えられる。
【００１６】
しかし、ネジを利用した固定構造では、誤って電子機器を落下させてしまい、レンズ鏡筒に衝撃が加わった際に、その衝撃により、レンズ鏡筒だけでなく、電子機器におけるレンズ鏡筒との接続部などにも破損が発生する虞がある。
【００１７】
本開示は、レンズ鏡筒を電子機器に位置精度よく着脱でき、かつレンズ鏡筒が取り付けられた電子機器を誤って落下させてしまったような場合における電子機器の破損を抑制できるアタッチメント、レンズシステム、電子機器システム、及びカメラシステムを提供する。
【００１８】
（実施の形態１）
以下、図面を参照して実施の形態１を説明する。
【００１９】
［１−１．構成等］
図１は、実施の形態１におけるタブレット型コンピュータの斜視図である。図１は、タブレット型コンピュータ１００の背面（後面）側を示した斜視図である。タブレット型コンピュータ１００は、本開示における電子機器の一例である。図１において、「上」、「下」、「左」、「右」、「前」、「後」との表示を行っているが、これは説明便宜上のものであり、実使用などにおいてこれに限定されるものではない。
【００２０】
タブレット型コンピュータ１００の背面（後面）にはカメラユニット１１０が設けられている。カメラユニット１１０には、被写体光を透過させる光透過窓１１１が設けられている。光透過窓１１１の内方には、カメラ部１２０が配置されている。
【００２１】
カメラ部１２０は、光学レンズや撮像素子を有しており、光透過窓１１１を介して入射した被写体光を撮像する。光透過窓１１１は、例えば光を透過するガラスなどで構成される。光学レンズは、固定焦点式のレンズであってもよいし、可変焦点式のオートフォーカスレンズであってもよい。また、光学レンズは、ズームレンズであってもよい。
【００２２】
タブレット型コンピュータ１００の前面側（図示せず）には、表示部が備えられている。表示部は、例えば有機ＥＬディスプレイや液晶ディスプレイで構成される。また、表示部の表面にはユーザのタッチ操作を検出するタッチセンサなどが配置される。
【００２３】
タブレット型コンピュータ１００の内部には、ＣＰＵ（Central Processing Unit)や、ＲＡＭ（Random Access Memory)、ＲＯＭ(Read Only Memory)、ＳＳＤ(Solid State Drive)などの記憶デバイスや、マイクや、スピーカなどが収容されている。
【００２４】
本実施の形態のタブレット型コンピュータ１００には、レンズ鏡筒２００を着脱可能に取り付けるためのレンズ取付枠１０が設けられている。レンズ鏡筒２００は、レンズなどの光学部品を内包する。
【００２５】
図２は、レンズ鏡筒２００が取り付けられたタブレット型コンピュータ１００の斜視図である。図２では、レンズ取付枠１０に取り付けられたレンズ鏡筒２００が比較的大型の望遠レンズである例を示しているが、本開示ではレンズ取付枠１０に取り付けられるレンズ鏡筒２００はどのようなものでもよい。
【００２６】
図３は、レンズ鏡筒２００単体の斜視図である。図４は、アタッチメントが取り付けられたレンズ鏡筒の斜視図である。図５は、レンズ鏡筒２００のタブレット型コンピュータ１００への取付の説明図である。図３、図４は、レンズ鏡筒２００を斜め後方から見た状態で示している。図５では、レンズ鏡筒２００などを斜め前方から見た状態で示している。なお、図５では、タブレット型コンピュータ１００のうちカメラユニット１１０のみを図示している。
【００２７】
図３に示すように、レンズ鏡筒２００の後端には円筒状の取付部２０１が設けられている。また、取付部２０１の外周面にはネジ部２０２が設けられている。
【００２８】
本実施の形態では、レンズ鏡筒２００のタブレット型コンピュータ１００への取付に際し、図４に示すように、レンズ鏡筒２００の取付部２０１にアタッチメント２０を取り付ける。そして、図５に示すように、この状態のレンズ鏡筒２００を、タブレット型コンピュータ１００に取り付ける。具体的には、アタッチメント２０の爪部２２、２３を、タブレット型コンピュータ１００のレンズ取付枠１０と筐体１１０ａとの間の隙間空間Ｓｐに上方からスライド挿入して嵌め込む。
【００２９】
次に、アタッチメント２０及びレンズ取付枠１０などの構造について詳しく説明する。
【００３０】
図６は、アタッチメント２０の斜視図である。図６に示すように、アタッチメント２０は、被写体光を通過させる光通過孔２１ａを備えた板状の本体部２１と、本体部２１の周縁部から突出する複数の爪部２２、２３と、光通過孔２１ａの内周面に設けられたネジ部２１ｂとを有する。アタッチメント２０は例えば樹脂製である。なお、後述するように、アタッチメント２０は金属製であってもよい。
【００３１】
爪部２２、２３の先端近傍には、アタッチメント２０の厚み方向に貫通する貫通孔２２ａ、２３ａが設けられている。
【００３２】
アタッチメント２０の爪部２２、２３は、本体部２１よりも厚みが小さくされている。
【００３３】
図７は、レンズ取付枠１０の斜視図である。図７では、レンズ取付枠１０を斜め後方から見た状態で示している。レンズ取付枠１０は、互いに平行になるように離間させて設けられた左右一対の縦枠部１１と、これらの下端同士を接続する横枠部１２とを有する。縦枠部１１及び横枠部１２には、レンズ取付枠１０をタブレット型コンピュータ１００の本体に固定するネジが挿通されるネジ挿通孔１１ｈ、１２ｈが設けられている。図７では、レンズ取付枠１０をタブレット型コンピュータ１００の本体とは別部品で構成した例を示したが、レンズ取付枠１０をタブレット型コンピュータ１００の本体（カメラユニット１１０の筐体１１０ａ（図５参照））と一体的に形成してもよい。その場合、ネジ挿通孔１１ｈ、１２ｈはなくてもよい。
【００３４】
左及び右の縦枠部１１から、他方の縦枠部１１側に前壁部１１ａが延びている。
【００３５】
前壁部１１ａの後面には、上下に離間させて、２個の突起１１ｂ、１１ｃが設けられている。上側の突起１１ｂは、後述する理由により下側の突起１１ｃよりも低くされている（突出量が小さくされている）。
【００３６】
図８は、アタッチメント２０の爪部２２、２３とレンズ取付枠１０とが嵌合した状態を、タブレット型コンピュータ１００の本体の図示を省略して示した斜視図である。図９は、レンズ鏡筒２００のタブレット型コンピュータ１００への取付部分の横断面図である。
【００３７】
アタッチメント２０の爪部２２、２３がタブレット型コンピュータ１００のレンズ取付枠１０に嵌合しているとき、アタッチメント２０の上側の爪部２２の貫通孔２２ａとレンズ取付枠１０の上側の突起１１ｂとが嵌合し、かつアタッチメント２０の下側の爪部２３の貫通孔２３ａとレンズ取付枠１０の下側の突起１１ｃとが嵌合する。これにより、アタッチメント２０がレンズ取付枠１０に対して位置決めされる。そのため、レンズ鏡筒２００がタブレット型コンピュータ１００に対して位置決めされる。
【００３８】
本実施の形態では、レンズ鏡筒２００を取り付けたタブレット型コンピュータ１００を誤って落下させてしまった場合のタブレット型コンピュータ１００の破損を抑制する構造をアタッチメント２０に設けている。具体的には、レンズ鏡筒２００のネジ部２０２（鏡筒側取付部）、アタッチメント２０のネジ部２１ｂ（第１取付部）、アタッチメント２０の爪部２２、２３（第２取付部）、及びレンズ取付枠１０（機器側取付部）の４種類の取付部の中で、アタッチメント２０の爪部２２、２３が最も衝撃荷重に対して脆弱とされている。本実施の形態では、アタッチメント２０の爪部２２、２３を最も脆弱とするために、アタッチメント２０を樹脂で形成するとともに、アタッチメント２０の爪部２２、２３の厚みを、本体部２１の厚みよりも小さくしている。
【００３９】
［１−２．作用等］
レンズ鏡筒２００のタブレット型コンピュータ１００への取り付けは、図５に示すように、レンズ鏡筒２００に取り付けられたアタッチメント２０の爪部２２、２３を、タブレット型コンピュータ１００のレンズ取付枠１０の隙間空間Ｓｐに上方からスライド挿入して嵌め込むことで実現される。また、嵌め込んだ状態において、アタッチメント２０の上側の爪部２２の貫通孔２２ａとレンズ取付枠１０の上側の突起１１ｂとが嵌合し、かつアタッチメント２０の下側の爪部２３の貫通孔２３ａとレンズ取付枠１０の下側の突起１１ｃとが嵌合する。これにより、アタッチメント２０がレンズ取付枠１０に対して位置決めされ、もって、レンズ鏡筒２００がタブレット型コンピュータ１００に対して位置決めされる。このように本実施の形態によれば、レンズ鏡筒２００のタブレット型コンピュータ１００への取り付け及び位置決めを容易に行うことができる。
【００４０】
なお、本実施の形態の構造によると、アタッチメント２０がレンズ取付枠１０内に挿入される途中で、下側の爪部２３が上側の突起１１ｂに当接する。アタッチメント２０をより下方に挿入するには、下側の爪部２３が隙間空間Ｓｐ（図８、図９参照）内で筐体１１０ａ側に弾性変形して上側の突起１１ｂを乗り越える必要がある。本実施の形態では、この乗り越えが容易となるように、上側の突起１１ｂを下側の突起１１ｃよりも突出量を小さくしている（図７参照）。つまり、上側の突起１１ｂを下側の突起１１ｃよりも低くしている。
【００４１】
レンズ鏡筒２００の使用が終わり、レンズ鏡筒２００をタブレット型コンピュータ１００から取り外すには、レンズ鏡筒２００をタブレット型コンピュータ１００に対して上方に引き上げて、アタッチメント２０とレンズ取付枠１０との嵌合を解除させるだけでよい。よって、取り外しについても容易に行うことができる。
【００４２】
ここで、レンズ鏡筒２００を取り付けたタブレット型コンピュータ１００をユーザが誤って落下させてしまう場合があり得る。本実施の形態では、レンズ鏡筒２００のネジ部２０２、アタッチメント２０のネジ部２１ｂ、アタッチメント２０の爪部２２、２３、及びレンズ取付枠１０の４種類の取付部の中で、アタッチメント２０の爪部２２、２３が最も衝撃荷重に対して脆弱とされている。そのため、落下した際に例えばレンズ鏡筒２００が接地して、レンズ鏡筒２００に衝撃荷重が加わると、最も脆弱なアタッチメント２０の爪部２２、２３が破損する。例えば、爪部２２、２３が根元付近で折れる。これにより、レンズ鏡筒２００に加わった衝撃荷重がタブレット型コンピュータ１００に加わるのが抑制される。よって、タブレット型コンピュータ１００の破損が抑制される。なお、アタッチメント２０が破損した場合、破損したアタッチメント２０を取り外して予備のアタッチメント２０に交換することで、速やかにレンズ鏡筒２００を利用して撮影を再開できる。
【００４３】
このように、本実施の形態によれば、レンズ鏡筒２００をタブレット型コンピュータ１００に容易にかつ位置精度よく着脱でき、かつレンズ鏡筒２００が取り付けられたタブレット型コンピュータ１００を誤って落下させてしまったような場合でもタブレット型コンピュータ１００の破損を抑制できる。
【００４４】
［１−３．効果等］
本実施の形態において、光学部品を内包するレンズ鏡筒２００と、レンズ鏡筒２００から出射される被写体光を撮像するタブレット型コンピュータ１００（電子機器の一例）との接続を仲介するアタッチメント２０が提供される。
アタッチメント２０は、
被写体光を通過させる光通過孔２１ａを備えた板状の本体部２１と、
本体部２１に設けられ、レンズ鏡筒２００に設けられたネジ部２０２（鏡筒側取付部）に着脱可能なネジ部２１ｂ（第１取付部）と、
本体部２１に設けられ、タブレット型コンピュータ１００が有するレンズ取付枠１０（機器側取付部の一例）に着脱可能な爪部２２、２３（第２取付部の一例）と、
爪部２２、２３に設けられ、タブレット型コンピュータ１００のレンズ取付枠１０が有する突起１１ｂ、１１ｃ（位置決め部の一例）に嵌合可能な貫通孔２２ａ、２３ａ（位置決め用嵌合部の一例）と、を備える。
ネジ部２０２、ネジ部２１ｂ、レンズ取付枠１０、及び爪部２２、２３の４種類の取付部の中で爪部２２、２３が最も衝撃荷重に対して脆弱とされている。
【００４５】
これにより、レンズ鏡筒２００をタブレット型コンピュータ１００に位置精度よく着脱でき、かつレンズ鏡筒２００が取り付けられたタブレット型コンピュータ１００を誤って落下させてしまったような場合におけるタブレット型コンピュータ１００の破損を抑制できる。
【００４６】
本実施の形態のアタッチメント２０において、爪部２２、２３はレンズ取付枠１０に対してスライドされることで着脱される。
【００４７】
これにより、レンズ鏡筒２００をタブレット型コンピュータ１００に対して容易に着脱できる。
【００４８】
本実施の形態のアタッチメント２０において、爪部２２、２３は、本体部２１の周縁部から突出し、レンズ取付枠１０に嵌合可能な爪形状を有し、爪部２２、２３が衝撃荷重に対して４種類の取付部の中で最も脆弱となるように、爪部２２、２３の厚みが本体部２１の厚みよりも小さくされている。
【００４９】
これにより、爪部２２、２３の厚みを本体部２１の厚みよりも小さくするという簡単な構成で、４種類の取付部の中で爪部２２、２３を最も衝撃荷重に対して脆弱にできる。
【００５０】
本実施の形態のアタッチメント２０において、
突起１１ｂ、１１ｃは、凸形状（凸形状と、凹形状または孔形状とのうちの一方の形状）を有し、
貫通孔２２ａ、２３ａは、孔形状（凸形状と、凹形状または孔形状とのうちの他方の形状）を有する。
【００５１】
これにより、タブレット型コンピュータ１００とレンズ鏡筒２００との位置決めを、タブレット型コンピュータ１００側の凸形状の突起１１ｂ、１１ｃと、レンズ鏡筒２００側の孔形状の貫通孔２２ａ、２３ａとの嵌合により、容易に実現できる。
【００５２】
本実施の形態において、
爪部２２、２３（第２取付部）が、レンズ取付枠１０（機器側取付部）にスライド挿入可能に構成され、
突起１１ｂ、１１ｃ（位置決め部）が、スライド挿入方向で離間するように２個設けられ、
貫通孔２２ａ、２３ａ（位置決め用嵌合部）が、スライド挿入方向で突起１１ｂ、１１ｃの間隔と同間隔で離間するように２個設けられ、
スライド挿入方向で最初に貫通孔２３ａと接触する突起１１ｂの高さが、後で貫通孔２３ａと接触する突起１１ｃの高さよりも低い。
【００５３】
これにより、レンズ鏡筒２００をタブレット型コンピュータ１００に取り付ける際、下側の爪部２３が上側の突起１１ｂを乗り越えやすくなる。
【００５４】
本実施の形態により、アタッチメント２０を提供できる。また、アタッチメント２０と、アタッチメント２０が取り付けられるレンズ鏡筒２００と、を含むレンズシステムを提供できる。また、アタッチメント２０と、アタッチメント２０が取り付けられたタブレット型コンピュータ１００と、を含む電子機器システムを提供できる。また、アタッチメント２０と、アタッチメント２０を介して接続されるレンズ鏡筒２００及びタブレット型コンピュータ１００とを含むカメラシステムを提供できる。
【００５５】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００５６】
（１）前記実施の形態では、アタッチメント２０を樹脂で形成するとともに、アタッチメント２０の爪部２２、２３の厚みを本体部２１の厚みよりも小さくすることで、上記４種類の取付部の中で最も脆弱となるように構成した。しかし、上記４種類の取付部の中で爪部２２、２３が最も脆弱となる限り、どのような構成で脆弱としてもよい。例えば、アタッチメント２０の爪部２２、２３の厚みを本体部２１の厚みよりも小さくすることに代えて、あるいはそれとともに、アタッチメント２０の爪部２２、２３の例えば根元付近にスリットを設けることでも、アタッチメント２０の爪部２２、２３を上記４種類の取付部の中で最も脆弱となるように構成できる。また、アタッチメント２０の爪部２２、２３を脆弱とできる限り、アタッチメント２０は、樹脂でなく、弾性を有する金属で形成されてもよい。
【００５７】
（２）前記実施の形態では、アタッチメント２０の爪部２２、２３（第２取付部の一例）が上記４種類の取付部の中で最も脆弱となるように構成したが、これに代えて、アタッチメント２０のネジ部２１ｂ（第１取付部の一例）が上記４種類の取付部の中で最も脆弱となるように構成してもよい。ネジ部２１ｂを最も脆弱とすることにより、レンズ鏡筒２００に衝撃荷重が加わった際、まず、アタッチメント２０のネジ部２１ｂが破損することで衝撃荷重が吸収される。例えば、ネジ部２１ｂの山が破損する。これにより、レンズ鏡筒２００に加わった衝撃荷重がタブレット型コンピュータ１００に加わるのが抑制される。よって、タブレット型コンピュータ１００の破損が抑制される。
【００５８】
（３）前記実施の形態では、位置決め用嵌合部として、貫通孔２２ａ、２３ａを設け、位置決め部として突起１１ｂ、１１ｃを設けた。しかし、位置決め部は、凸形状と、凹形状または孔形状とのうちの一方の形状を有し、前記位置決め用嵌合部は、凸形状と、凹形状または孔形状とのうちの他方の形状を有する限り、どのような構造をとってもよい。
【００５９】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００６０】
本開示は、光学部品を内包するレンズ鏡筒と前記レンズ鏡筒から出射される被写体光を撮像する電子機器との接続に広く利用可能である。
【符号の説明】
【００６１】
１０  レンズ取付枠
１１  縦枠部
１１ａ  前壁部
１１ｂ、１１ｃ  突起
１１ｈ  ネジ挿通孔
１２  横枠部
１２ｈ  ネジ挿通孔
２０  アタッチメント
２１  本体部
２１ａ  光通過孔
２１ｂ  ネジ部
２２、２３  爪部
２２ａ、２３ａ  貫通孔
１００  タブレット型コンピュータ
１１０  カメラユニット
１１０ａ  筐体
１１１  光透過窓
１２０  カメラ部
２００  レンズ鏡筒
２０１  取付部
２０２  ネジ部
Ｓｐ  隙間空間
【図１】
2020101746.tif 000003
【図２】
2020101746.tif 000004
【図３】
2020101746.tif 000005
【図４】
2020101746.tif 000006
【図５】
2020101746.tif 000007
【図６】
2020101746.tif 000008
【図７】
2020101746.tif 000009
【図８】
2020101746.tif 000010
【図９】
2020101746.tif 000011